(57)【要約】【課題】表示画面となるハーフミラーと背面側のミラーとの間に光源が配設され、前記光源からの光を繰り返し反射することにより立体像を表示する立体ディスプレイ装置において、前記立体像を動的に変化させ、多様な視覚効果を得る。【解決手段】表示画面となるハーフミラー２と背面側のミラー４とが反射面を対向して配置され、前記ハーフミラーと前記ミラーとの間に配設された光源６からの光を繰り返し反射することにより立体像を表示する立体ディスプレイ装置１であって、前記ハーフミラーの反射面に対する前記ミラーの反射面の距離、或いは角度を変化させるミラー配置可変手段７を備える。【選択図】図５
2015203782.tif 000002
【特許請求の範囲】
【請求項１】
一部の光を透過するハーフミラーと、光を全反射するミラーとが、その反射面を対向して配置され、前記ハーフミラーと前記ミラーとの間に配設された光源からの光を前記ハーフミラーと前記ミラーとの間で繰り返し反射することにより、前記ハーフミラー側に立体像を表示する立体ディスプレイ装置であって、
前記ハーフミラーの反射面に対する前記ミラーの反射面の距離、或いは角度が変化するよう前記ミラーの反射面を配置するミラー配置可変手段を備えることを特徴とする立体ディスプレイ装置。
【請求項２】
前記ミラーは表面に反射面が形成された可撓性を有するシート状部材により形成され、
前記ミラー配置可変手段は、前記ミラーの裏面側を部分的に押圧する少なくとも１つの押し込み部材を有し、
前記押し込み部材により前記ミラーの裏面側が押し込まれることによって、該ミラーの押し込まれた箇所の表面側が山なりに湾曲することを特徴とする請求項１に記載された立体ディスプレイ装置。
【請求項３】
前記可撓性を有するシート状部材は、シリコンゴム、或いは薄い金属板により形成されていることを特徴とする請求項２に記載された立体ディスプレイ装置。
【請求項４】
前記可撓性を有するミラーを前面側に支持する背面板を備え、
前記背面板には、前記押し込み部材が進退自在に挿通される貫通孔が形成されていることを特徴とする請求項２または請求項３に記載された立体ディスプレイ装置。
【請求項５】
前記押し込み部材を前記ミラーの裏面側に対して押し込む押圧手段を備え、
前記押圧手段は、前記押し込み部材の頭部に当接する押圧部と、前記押圧部を前記押し込み部材に対して押圧する方向に移動させる押圧部移動手段とを有することを特徴とする請求項２乃至請求項４のいずれかに記載された立体ディスプレイ装置。
【発明の詳細な説明】
【技術分野】
【０００１】
本発明は、立体ディスプレイ装置に関し、特に、一部の光を透過するハーフミラーと、光を全反射するミラーとが、その反射面を対向して配置され、前記ハーフミラーと前記ミラーとの間に配設された光源からの光を前記ハーフミラーと前記ミラーとの間で繰り返し反射することにより、前記ハーフミラー側に立体像を表示する立体ディスプレイ装置に関する。
【背景技術】
【０００２】
特許文献１には、図１７に示すように前壁がハーフミラー５１により形成され、後壁がミラー５２により形成された箱体５３内にＬＥＤ素子等の発光体５４を複数配設し、前記ハーフミラー５１と前記ミラー５２との間で光の反射を繰り返すことにより、発光体の像５５を前後方向に多数表示してなるディスプレイ装置５０（ミラーボックス）が開示されている。
【０００３】
特許文献１に開示されるディスプレイ装置５０は、発光体５４の像を多数表示するものであるが、同様の原理により文字や図形も立体的に表示させることもできる。
例えば、特許文献２には、図１８に示すように、文字や図形からなる平板６１の端面にＬＥＤ等の光源６２を多数配列したパネル６８を備え、このパネル６８を内側にハーフミラーシート６３を貼り付けた透明な表板６４と、内面に反射物質膜６５を施工した裏板６６とで挟んだ構成のディスプレイ装置６０が開示されている。このディスプレイ装置６０によれば、ハーフミラーシート６３と反射物質膜６５との間で光の反射が繰り返されるため、パネル６８が宙に浮かんだように立体的に表示される。
【先行技術文献】
【特許文献】
【０００４】
【特許文献１】実開昭５８−７４２８７号公報
【特許文献２】特許第４９１５６８３号公報
【発明の概要】
【発明が解決しようとする課題】
【０００５】
特許文献１、２に開示されたディスプレイ装置５０、６０のいずれにおいても、表示面（ハーフミラー）に表示される像は立体的であり、薄い箱体でありながら前後方向に奥行きのある立体像が表示されるという視覚的効果を得ることができる。
しかしながら、特許文献１、２に開示されたディスプレイ装置５０、６０のいずれも表示面には静止した立体像が表示されるのみであり、立体像が動的に変化するような視覚的効果は得られなかった。
【０００６】
本発明は、前記した点に着目してなされたものであり、表示面となるハーフミラーと背面側のミラーとの間に光源が配設され、前記光源からの光を繰り返し反射することにより立体像を表示する立体ディスプレイ装置において、前記立体像を動的に変化させ、多様な視覚効果を得ることができる立体ディスプレイ装置を提供することを目的とする。
【課題を解決するための手段】
【０００７】
前記した課題を解決するために、本発明に係る立体ディスプレイ装置は、一部の光を透過するハーフミラーと、光を全反射するミラーとが、その反射面を対向して配置され、前記ハーフミラーと前記ミラーとの間に配設された光源からの光を前記ハーフミラーと前記ミラーとの間で繰り返し反射することにより、前記ハーフミラー側に立体像を表示する立体ディスプレイ装置であって、前記ハーフミラーの反射面に対する前記ミラーの反射面の距離、或いは角度が変化するよう前記ミラーの反射面を配置するミラー配置可変手段を備えることに特徴を有する。
また、前記ミラーは表面に反射面が形成された可撓性を有するシート状部材により形成され、前記ミラー配置可変手段は、前記ミラーの裏面側を部分的に押圧する少なくとも１つの押し込み部材を有し、前記押し込み部材により前記ミラーの裏面側が押し込まれることによって、該ミラーの押し込まれた箇所の表面側が山なりに湾曲することが望ましい。
尚、前記可撓性を有するシート状部材は、シリコンゴム、或いは薄い金属板により形成されていることが望ましい。
また、前記可撓性を有するミラーを前面側に支持する背面板を備え、前記背面板には、前記押し込み部材が進退自在に挿通される貫通孔が形成されていることが望ましい。
また、前記押し込み部材を前記ミラーの裏面側に対して押し込む押圧手段を備え、前記押圧手段は、前記押し込み部材の頭部に当接する押圧部と、前記押圧部を前記押し込み部材に対して押圧する方向に移動させる押圧部移動手段とを有することが望ましい。
【０００８】
このように前記ハーフミラーの反射面に対する前記ミラーの反射面の距離と角度とが可変となる構成を有することによって、立体像を動的に変化させ、多様な視覚効果を得ることができる。
特に、前記ミラーを、可撓性を有する部材により形成し、これに対し押し込み部材を押し込んで山なりに湾曲させる構成とすることによって、前記ミラーの反射面の前記ハーフミラーの反射面に対する距離、或いは角度を容易に変化させることができる。
さらには、前記押し込み部材を自動的に押し込むための押圧手段を備えることによって、周期的かつ動的に変化する立体像が得られるため、広告看板や遊戯台などの表示画面に好適に用いることができる。
【発明の効果】
【０００９】
本発明によれば、表示画面となるハーフミラーと背面側のミラーとの間に光源が配設され、前記光源からの光を繰り返し反射することにより立体像を表示する立体ディスプレイ装置において、前記立体像を動的に変化させ、多様な視覚効果を得ることができる。
【図面の簡単な説明】
【００１０】
【図１】図１は、本発明に係る立体ディスプレイ装置の正面図である。
【図２】図２は、図１の立体ディスプレイ装置の背面図である。
【図３】図３は、図１の立体ディスプレイ装置の側面図である。
【図４】図４は、図１の立体ディスプレイ装置の断面図である。
【図５】図５は、図１の立体ディスプレイ装置の断面図であり、図４とは異なる状態を示す図である。
【図６】図６は、図１の立体ディスプレイ装置において、ＬＥＤの光の反射を示す断面図である。
【図７】図７は、図１の立体ディスプレイ装置において、ミラーシートが変形した状態でのＬＥＤの光の反射を示す断面図である。
【図８】図８は、図１の立体ディスプレイ装置において、表示画面としてのハーフミラーに表示される立体像を示す平面図である。
【図９】図９は、図１の立体ディスプレイ装置において、表示画面としてのハーフミラーに表示される、うねった立体像を示す平面図である。
【図１０】図１０は、図１の構成に加え、さらに押圧手段としてのピストンロッド及びシリンダを備える立体ディスプレイ装置の断面図である。
【図１１】図１１は、図１の構成に加え、さらに押圧手段としての押圧板等を備える立体ディスプレイ装置の断面図である。
【図１２】図１２は、図１１の押圧板の平面図である。
【図１３】図１３は、図１１の押圧板の側面図である。
【図１４】図１４（ａ）、（ｂ）は、本発明に係る立体ディスプレイ装置の変形例を示す断面図である。
【図１５】図１５は、本発明に係る立体ディスプレイ装置の他の変形例を示す断面図である。
【図１６】図１６は、本発明に係る立体ディスプレイ装置の他の変形例を示す断面図である。
【図１７】図１７は、従来のディスプレイ装置の断面図である。
【図１８】図１８は、従来の他のディスプレイ装置の断面図である。
【発明を実施するための形態】
【００１１】
以下、本発明に係る立体ディスプレイ装置の実施の形態を図面に基づき説明する。
図１は、本発明に係る立体ディスプレイ装置の正面図であり、図２はその背面図、図３は側面図である。また、図４、図５は、本発明に係る立体ディスプレイ装置の断面図である。
【００１２】
図示する立体ディスプレイ装置１は、正面側に光の一部を透過するハーフミラー２が、その反射面を内側にして配置される。即ち、このハーフミラー２の外側の面が表示面とされる。また、背面側には、例えば硬質樹脂からなる背面板３が配置され、その内側面に光を全反射するミラーシート４が配置されている。
また、前記ハーフミラー２と前記ミラーシート４の周囲に側壁部５が設けられることによって、立体ディスプレイ装置１は密閉された箱体状とされ、ハーフミラー２とミラーシート４とは所定の距離を空けて、その反射面が対向する状態となされている。
尚、本実施の形態においては、ハーフミラー２及びミラーシート４は正円形としたが、本発明の立体ディスプレイ装置にあっては、その形状は限定されるものではなく、矩形状など、その他の形状であってもよい。
【００１３】
前記側壁部５には、その内側面に、例えばフレキシブル基板が周方向に沿って円環状に設けられ、前記基板上に複数の発光体、例えば複数のＬＥＤ６（発光ダイオード）が光源として周方向に等間隔に配設されている。前記基板には、ＬＥＤ６を発光駆動させるための電気的配線（図示せず）がなされており、前記配線は外部の電源部（図示せず）に接続されるようになっている。
【００１４】
また、前記ミラーシート４は、可撓性を有する材質からなるシート状部材、例えばシリコンゴムシートの表面に所定の鏡面処理（例えば金属膜の貼着処理、或いは金属膜の蒸着など）を施したものからなる。
また、背面板３には、表裏方向に貫通する複数の貫通孔３ａが形成され、そこに前記ミラーシート４を裏側から押圧可能なピン部材７（押し込み部材、ミラー配置可変手段）が進退自在に挿通されている。即ち、図５に示すように、ピン部材７によりミラーシート４を裏側から押し込むことによって、ミラーシート４の押された部分を山なりに湾曲させることができるように構成されている。
尚、図４、図５にあっては、断面位置の関係で、中央の貫通孔３ａのみが示されるが、すべてのピン部材７に対して貫通孔３ａが設けられる。
【００１５】
また、前記ピン部材７の頭部であるピンヘッド７ａは、軸周囲に鍔状に突出しており、ピンヘッド７ａの裏面にスプリング８の一端が当接しスプリング８の他端が背面板３に当接している。このスプリング８により、ピン部材７は、ミラーシート４から離れる方向に付勢されている。即ち、ピン部材７を押し込んだ後に、ピン部材７への押圧を解除すると、ピン部材７はスプリング８の付勢力により元に戻るようなっている。
【００１６】
このように構成された立体ディスプレイ装置１においては、図６に矢印で示すようにＬＥＤ６から発射された光は、一部がハーフミラー２を透過し、一部がハーフミラー２に反射してミラーシート４に照射される。
そして、ミラーシート４に照射された光は全反射し、一部がハーフミラー２を透過し、一部がハーフミラー２に反射してミラーシート４に再び照射される。
このようにして、ＬＥＤ６から発射された光は反射を繰り返し、ハーフミラー２（表示画面）を外側から見ると、図８に示すように複数の反射光２０が奥行き方向に連続する立体像が表示されることになる。
【００１７】
ここで、ピン部材７を押し込むと、図７に示すようにミラーシート４は内側に向かって山なりに湾曲し、ＬＥＤ６から発射された光は図６の場合と距離及び反射角が異なるが、同様に反射を繰り返す。
その結果、図９に示すように反射光２０の配列は、うねり曲がった状態となる。このような複数の反射光２０によるうねりの形態は、押し込むピン部材７の数や各ピン部材７の押し込み度合い等によって変化する。
【００１８】
このように立体ディスプレイ装置１においては、複数のピン部材７のうち、任意に選択した１つ又は複数のピン部材７を押し込むことにより、ミラーシート４の押し込まれた箇所が山なりに湾曲し、複数の反射光２０の配列がうねった状態に変化するという視覚的効果を得ることができる。
【００１９】
また、前記立体ディスプレイ装置１にあっては、複数のピン部材７の押し込みを自動的に行うための押圧手段をさらに備えることが望ましい。
この押圧手段の形態は、特に限定されるものではないが、例えば、図１０に示すように、各ピン部材７に当接するピストンロッド１７（押圧部）と、これを進退移動させるシリンダ１８（押圧部移動手段）とを各ピン部材７に対して設けてもよい。この場合、各シリンダ１８の動作を制御することによって、複数の反射光２０からなる立体像のうねりが動的になり、多様に変化する立体像を得ることができる。
【００２０】
或いは、図１１に示すように前記押圧手段として、ピン部材７を押し込むための円板状の押圧板１３（押圧部）を設け、この押圧板１３を回転モータ１６（押圧部移動手段）の回転軸１５を軸として回転させながら各ピン部材７を押圧するように構成してもよい。
前記押圧板１３は、例えば図１２（平面図）、図１３（側面図）に示すように、上面側に円弧状のラインに沿って凸形成された複数の押圧凸部１４が設けられる。この押圧凸部１４は、押圧板１３の回転に伴いピン部材７のピンヘッド７ａに当接し、ピン部材７を押し込むように機能する。尚、ピン部材７の押し込み具合を変化させるために、図１３に示すように周方向に沿って押圧凸部１４の高さが変化するように形成してもよい。
また、押圧板１３において、各ピン部材７の位置に合わせて押圧凸部１４を設けておくことにより、複数の反射光２０からなる立体像のうねりを周期的に変化させることができる。
【００２１】
以上のように、本発明に係る実施の形態によれば、一部の光を透過するハーフミラー２と光を全反射するミラーシート４との間に光源となるＬＥＤ６が配設され、前記ＬＥＤ６からの光を前記ハーフミラー２と前記ミラーシート４との間で繰り返し反射させ、前記ハーフミラー２側に立体像を表示する立体ディスプレイ装置１において、前記ハーフミラー２の反射面に対する前記ミラーシート４の反射面の距離、或いは角度が可変となる構成を有することによって、立体像を動的に変化させ、多様な視覚効果を得ることができる。
特に、前記ミラーシート４を、可撓性を有する部材により形成し、これに対しピン部材７を押し込んで山なりに湾曲させる構成とすることによって、前記ミラーシート４の反射面の前記ハーフミラー２の反射面に対する距離、或いは角度を容易に変化させることができる。
さらには、前記ピン部材７を自動的に押し込むための押圧手段を備えることによって、周期的かつ動的に変化する立体像が得られるため、広告看板や遊戯台などの表示画面に好適に用いることができる。
【００２２】
尚、前記実施の形態においては、背面側に配置する全反射のミラーとして可撓性を有するミラーシート４を用いた例を示したが、本発明に係る立体ディスプレイ装置にあっては、その形態に限定されるものではない。
例えば、可撓性がない（湾曲しない）ミラー、例えばガラス製の鏡を用いてもよい。その場合、例えば図１４（ａ）に示すように、背面板３の内側面に全反射のミラー１１を配置し、背面板３の一端部に設けた回転軸１２を軸に図１４（ｂ）に示すように背面板３が回動する構成としてもよい。このように構成することによって、ミラー１１に可撓性がなくともハーフミラー２の反射面に対するミラー１１の反射面の距離と角度とを変化させることができる。尚、この場合、背面板３と回転軸１２とによりミラー配置可変手段が構成される。
【００２３】
或いは、図１５に示すように、回転軸を設けることなく、例えば可撓性を有するミラーシート４（或いは表面に鏡面が形成された薄い金属板でもよい）の一端を側壁部５に固定し、他端側を側壁部５に対し引き離す、或いは近づけるように進退させ、ミラーシート４を湾曲させることによりハーフミラー２に対するミラーシート４の距離と角度とを変化させてもよい。尚、この場合、ミラーシート４の他端部を進退させる手段（図示せず）によりミラー配置可変手段が構成される。
【００２４】
或いは、図１６に示すように、背面板３上に設けたミラーシート４（この場合、可撓性の無いミラーでもよい）を、その反射面が、ハーフミラー２の反射面と平行状態を保ったまま、ハーフミラー２に対して進退可能な構成とし、ハーフミラー２に対するミラーシート４の距離を変化させてもよい。尚、この場合、ミラーシート４を進退させる手段（図示せず）によりミラー配置可変手段が構成される。
【００２５】
また、前記実施の形態においては、ＬＥＤ６の反射光２０のみで立体像が形成されるものとしたが、これに限らず、ハーフミラー２とミラーシート４との間に光源と、文字や図形が描かれたパネル（図示せず）とを設けた構成においても本発明を適用することができる。
【符号の説明】
【００２６】
１          立体ディスプレイ装置
２          ハーフミラー
３          背面板
４          ミラーシート（ミラー）
５          側壁部
６          ＬＥＤ（光源）
７          ピン部材（押し込み部材、ミラー配置可変手段）
８          スプリング
１３          押圧板（押圧部）
１４          押圧凸部（押圧部）
１５          回転軸（押圧部移動手段）
１６          回転モータ（押圧部移動手段）
１７          ピストンロッド（押圧部）
１８          シリンダ（押圧部移動手段）
２０          反射光
【図１】
2015203782.tif 000003
【図２】
2015203782.tif 000004
【図３】
2015203782.tif 000005
【図４】
2015203782.tif 000006
【図５】
2015203782.tif 000007
【図６】
2015203782.tif 000008
【図７】
2015203782.tif 000009
【図８】
2015203782.tif 000010
【図９】
2015203782.tif 000011
【図１０】
2015203782.tif 000012
【図１１】
2015203782.tif 000013
【図１２】
2015203782.tif 000014
【図１３】
2015203782.tif 000015
【図１４】
2015203782.tif 000016
【図１５】
2015203782.tif 000017
【図１６】
2015203782.tif 000018
【図１７】
2015203782.tif 000019
【図１８】
2015203782.tif 000020